(57)【要約】【課題】  商用電源線の電力供給を停止することなく切断などの追加加工なしで容易にフィルタをフェーズ線とニュートラル線間に接続でき、設置場所の確保を不要にし、感電を防止して安全性を高める。【解決手段】  フィルタ接続器１を、商用電源線を構成するフェーズ線の導電体３をケーブルシース８とともに把持するケーブルクランプ２と、同様に商用電源線を構成するニュートラル線の導電体９をケーブルシース８’とともに把持するケーブルクランプ２’と、フィルタ６と、フィルタ６の２つの端子にそれぞれ接続された導通針７、７’と、ケーブルクランプ２、２’をフェーズ線やニュートラル線に圧接させるためのネジ５、５’によって構成する。【選択図】      図１
2006303614.tif 000002
【特許請求の範囲】
【請求項１】
商用電源線用のフィルタと、
敷設された商用電源線のフェーズ線とニュートラル線を挿通して把持する円形開口部を有するケーブルクランプと、
フィルタの端子に接続されるとともにケーブルクランプのフェーズ線とニュートラル線との接触面に突設され、フェーズ線とニュートラル線を把持する際にそれぞれの導電体に導通する針状の導通針と、
を備えることを特徴とするフィルタ接続器。
【請求項２】
前記ケーブルクランプは、
フェーズ線とニュートラル線を独立にそれぞれ把持するとともに、円形開口部の周上に設けられた欠損区間の長さをネジによって短縮あるいは伸張して周長を調整可能なことを特徴とする請求項１に記載のフィルタ接続器。
【請求項３】
前記ケーブルクランプは、
フェーズ線とニュートラル線を共に纏めて把持するとともに、円形開口部の周上に設けれた欠損区間の長さをネジによって短縮あるいは伸張して周長を調整可能なことを特徴とする請求項１に記載のフィルタ接続器。
【請求項４】
前記導通針を除くフィルタとケーブルクランプが絶縁体に覆われて構成されていることを特徴とする請求項１〜３のうちのいずれか１項に記載のフィルタ接続器。
【請求項５】
前記フィルタは、コンデンサ、コイル、過電圧防護素子のいずれか一つまたは組み合わせにより構成されていることを特徴とする請求項１〜４のうちのいずれか１項に記載のフィルタ接続器。
【請求項６】
前記導通針の周辺にケーブルシースへの刺入による穴に異物が侵入するのを防止するための異物侵入防止手段が備わることを特徴とする請求項１〜５のうちのいずれか１項に記載のフィルタ接続器。
【請求項７】
フィルタの識別を可能とする、色分け、文字、数字、記号、突起のうちのすくなくとも一つを備えることを特徴とする請求項１〜６のうちのいずれか１項に記載のフィルタ接続器。
【発明の詳細な説明】
【技術分野】
【０００１】
本発明は、電力線搬送通信における意図しない伝送路上の信号の漏洩を防止するとともに、商用電源線上を伝播する高周波電磁ノイズを除去するためのフィルタを接続するフィルタ接続器に関する。
【背景技術】
【０００２】
従来より実施されている電力線搬送通信では、建物内の商用電源線上にて電力線搬送通信の信号を伝送している。この信号伝送において当該商用電源線に接続され建物外部から引き込まれた別の電源線上に非意図的に信号が漏洩することや、当該商用電源線から信号が電磁ノイズとなって漏洩することを防止する必要がある。また電力線搬送通信のセキュリティ確保や電磁環境への影響を排除するためにも信号漏洩防止の対策は非常に重要となっている。
【０００３】
一方、家電製品等を含む多くの電気・電子機器では省電力化等の目的でインバータ制御方式の電源が採用されている。こうしたインバータ制御方式の電源の採用増加に伴って商用電源線上に様々な周波数成分を持つ高周波電磁ノイズも増加している。この高周波電磁ノイズが電源ラインなどから入り込み各種電気・電子機器の動作に悪影響を及ぼしたり、あるいは放送受信に影響を及ぼすといった現象も生じている。
【０００４】
こうした信号漏洩防止の対策や高周波電磁ノイズに起因する様々な影響防止の対策として、商用電源線にはフィルタが適用されている。これらのフィルタは商用電源線の途中にローパスフィルタやハイパスフィルタ等を接続する構成を備えている。フィルタの一例としては、電力線搬送通信用ローパスフィルタやブロッキングフィルタにみられるように、商用電源線の電力ケーブル上に接続されたインダクタ（Ｌ）と２本の電力ケーブル（フェーズ線とニュートラル線）間に接続されたコンデンサ（Ｃ）で構成されるＬＣ共振回路や、あるいは信号の同相成分を除去するコモンモードチョークインダクタ等によって構成されている（特許文献１、２参照）。
【特許文献１】特開平５−１２１９８８号公報
【特許文献２】特開２００３−１７４３４９号公報
【発明の開示】
【発明が解決しようとする課題】
【０００５】
しかしながら、上述のフィルタを商用電源線に接続するには商用電源線の電力ケーブルの途中を切断してフィルタを接続するか、もしくは新たに電力ケーブルを用意してフィルタを商用電源線の電力ケーブルに接続し直すといった追加工が必要であった。
【０００６】
また、安全上の理由からフィルタを接続する電力ケーブルに商用電源電流が流れないように契約ブレーカ等を切断し、電力供給を停止した死線状態で工事を行う必要があった。そのためフィルタの接続工事中は商用電源からの電力供給が受けられなかった。
【０００７】
さらに、商用電源線の定格電流が大きい場合には接続するフィルタの回路を構成するインダクタも大きくなり全体が大型化する。そのため一般家庭などでは配線場所も限られており、こうした大型のフィルタを設置する場所を商用電源線の既存の敷設場所以外に新たに確保することは難しかった。
【０００８】
本発明は、上記の課題に鑑みてなされたもので、その目的は、敷設された商用電源線を切断することなく容易にフィルタを商用電源線に接続し、フィルタの新たな設置場所の確保も不要にすることにある。
【課題を解決するための手段】
【０００９】
課題を解決するために、請求項１に記載の本発明は、商用電源線用のフィルタと、敷設された商用電源線のフェーズ線とニュートラル線を挿通して把持する円形開口部を有するケーブルクランプと、フィルタの端子に接続されるとともにケーブルクランプのフェーズ線とニュートラル線との接触面に突設され、フェーズ線とニュートラル線を把持する際にそれぞれの導電体に導通する針状の導通針と、を備える。
【００１０】
本発明においては、商用電源線用のフィルタと、敷設された商用電源線のフェーズ線とニュートラル線を切断することなく挿通して把持する円形開口部を有するケーブルクランプと、フィルタの端子に接続されるとともにケーブルクランプのフェーズ線とニュートラル線との接触面に突設され、フェーズ線とニュートラル線を把持する際にそれぞれの導電体に導通する針状の導通針と、を備えることにより、敷設された商用電源線を切断することなくフィルタをフェーズ線とニュートラル線の間に接続している。
【００１１】
また、請求項２に記載の本発明は、請求項１において、前記ケーブルクランプは、フェーズ線とニュートラル線を独立にそれぞれ把持するとともに、円形開口部の周上に設けられた欠損区間の長さをネジによって短縮あるいは伸張して周長を調整可能である。
【００１２】
本発明においては、ケーブルクランプでフェーズ線とニュートラル線を独立にそれぞれ把持し、円形開口部の周上に設けられた欠損区間の長さをネジによって短縮あるいは伸張して周長を調整することにより把持を強固にしている。
【００１３】
また、請求項３に記載の本発明は、請求項１において、前記ケーブルクランプは、フェーズ線とニュートラル線を共に纏めて把持するとともに、円形開口部の周上に設けられた欠損区間の長さをネジによって短縮あるいは伸張して周長を調整可能である。
【００１４】
本発明においては、纏められたフェーズ線とニュートラル線とを共に把持し、円形開口部の周上に設けられた欠損区間の長さをネジによって短縮あるいは伸張して周長を調整することにより把持を強固にしている。
【００１５】
また、請求項４に記載の本発明は、請求項１〜３のいずれか１項において、前記導通針を除くフィルタとケーブルクランプが絶縁体に覆われて構成されている。
【００１６】
本発明においては、導通針を除く導通部分を絶縁体で被うことにより感電を防いでいる。
【００１７】
また、請求項５に記載の本発明は、請求項１〜４のうちのいずれか１項において、前記フィルタは、コンデンサ、コイル、過電圧防護素子のいずれか一つまたは組み合わせにより構成されている。
【００１８】
本発明においては、コンデンサ、コイル、過電圧防護素子のいずれか一つまたは組み合わせによりフィルタを構成する。
【００１９】
また、請求項６に記載の本発明は、請求項１〜５のうちのいずれか１項において、前記導通針の周辺にケーブルシースへの刺入による穴に異物が侵入するのを防止するための異物侵入防止手段を備える。
【００２０】
本発明においては、刺入により生じた穴と導通針との隙間を異物侵入防止手段で塞ぐことで異物の進入を阻止する。
【００２１】
また、請求項７に記載の本発明は、請求項１〜６のうちのいずれか１項において、フィルタの識別を可能とする、色分け、文字、数字、記号、突起のうちのすくなくとも一つを備える。
【００２２】
本発明においては、色分け、文字、数字、記号、突起のうちのすくなくとも一つを備えることで商用電源線に接続したフィルタを識別する。
【発明の効果】
【００２３】
本発明によれば、敷設された商用電源線を切断することなく容易にフィルタを商用電源線に接続でき、フィルタの新たな設置場所の確保も不要になる。
【００２４】
また、本発明による別の効果は、商用電源線がフェーズ線とニュートラル線に独立した構成であってもケーブルクランプによる把持を容易かつ強固に行うことができる。
【００２５】
また、本発明による別の効果は、商用電源線がフェーズ線とニュートラル線を共に纏めた構成であってもケーブルクランプによる把持を容易かつ強固に行うことができる。
【００２６】
また、本発明による別の効果は、感電を防止して安全性を高めることが可能になる。
【００２７】
また、本発明による別の効果は、商用電源線のケーブルシース内部の導電体へ異物が侵入するのを防止することが可能になる。
【００２８】
また、本発明による別の効果は、フィルタ回路の種類を容易に識別することが可能になる。
【発明を実施するための最良の形態】
【００２９】
＜第１の実施の形態＞
図１と図２に第１の実施の形態によるフィルタ接続器の外形図を示す。図１は商用電源線にフィルタ接続器１を接続した状態であって、商用電源線の上面から見た外形図を示している。一方、図２は図１のａ−ａ’断面よりフィルタ接続器１を見た外形図を示している。なお商用電源線はフェーズ線とニュートラル線から構成され、一例として図１および図２にはＩＶケーブル（６００Ｖビニル絶縁電線）等の内部の導電体が単線タイプの商用電源線を示している。
【００３０】
このように図１および図２に示すフィルタ接続器１は、フェーズ線４の導電体３をケーブルシース８とともに把持するケーブルクランプ２と、同様にニュートラル線９の導電体３’をケーブルシース８’とともに把持するケーブルクランプ２’と、フィルタ６と、フィルタ６の２つの端子にそれぞれ接続された導通針７、７’と、ケーブルクランプ２、２’をフェーズ線４やニュートラル線９に圧接させるためのネジ５、５’によって構成されている。
【００３１】
商用電源線を構成するフェーズ線４とニュートラル線９は互いに独立して敷設されており、それぞれの内部の導電体３、３’をケーブルシース８、８’が被覆して絶縁を確保している。そしてフェーズ線４とニュートラル線９は敷設された状態で商用電源電流が通電され図示しない各種機器に電源供給をしている。
【００３２】
そして、フェーズ線４とニュートラル線９はケーブルクランプ２、２’によってそれぞれ把持されており、ケーブルクランプ２、２’には図１および図２に示すようにフェーズ線４あるいはニュートラル線９を挿通する円形開口部を有し、この開口部の周上に欠損区間が設けられ間隙をネジ５、５’が貫通している。
【００３３】
そして、このネジ５、５’を締め込むことによりケーブルクランプ２、２’の開口部が縮径し、挿通しているフェーズ線４あるいはニュートラル線９のケーブルシース８、８’にケーブルクランプ２、２’の接触面が圧接するので把持も強固なものとなり、逆にネジ５、５’を緩めることにより開口部を拡張できるので、フェイズ線４やニュートラル線９の挿通を容易に行うことができる。
【００３４】
さらに、ケーブルクランプ２、２’のケーブルシース８、８’への接触面には導通針７、７’が突設されている。導通針７、７’は金属などの導電体を鋭利な針状に形成したものである。ケーブルクランプ２、２’の欠損区間をネジ５、５’でそれぞれ締め込むことにより、この導通針７、７’はそれぞれケーブルシース８、８’に刺入して導電体３、３’へ到達する。
【００３５】
そして、この導通針７にはコンデンサやコイルあるいは過電圧防護素子などで構成されるフィルタ６の端子の一端が接続されており、導電体３とフィルタ６の一端とを電気的に接続している。さらにフィルタ６のもう一方の端子には導通針７’が接続されており、ニュートラル線９の導電体３’と導通している。こうしてフィルタ６がフェーズ線４とニュートラル線９のそれぞれの導電体３、３’間に接続される。
【００３６】
なお、ケーブルクランプ２、２’とフィルタ６は図１および図２に示すように、まとめて非導電性の絶縁材料により覆われている。このため導通針７、７’やフィルタ６に通電した状態でも外部からの接触における感電などは発生しない。ここで適用する絶縁材料にプラスチックなどを用いて、ケーブルクランプ２、２’やフィルタ６を内包する成型をしてもよく、さらに色分けや形状突起による識別、あるいは文字、数字、記号などを用いた識別表記をフィルタ接続器１に施してもよい。
【００３７】
さらに、導通針７、７’の近傍に図示しない異物混入防止手段を備えることにより、導通針７、７’がケーブルシース８、８’に刺入することに伴い生じる穴との隙間から水分や埃などの異物が浸入することを防止する。この異物混入防止手段としては粘着性のシール剤などを導通針７、７’の根元部分に予め付着させておくことで、刺入した導通針７、７’と、その刺入に伴う穴との隙間を塞いでいる。
【００３８】
このような上述の第１の実施の形態によれば、敷設された商用電源線を切断することなく容易にフィルタを商用電源線に接続でき、フィルタの新たな設置場所の確保も不要になる。
【００３９】
また、商用電源線がフェーズ線とニュートラル線に独立した構成であってもケーブルクランプによる把持を容易かつ強固に行うことができ、感電を防止して安全性を高めることも可能になる。
【００４０】
さらに、商用電源線のケーブルシース内部の導電体へ異物が侵入するのを防止でき、フィルタ回路の種類を容易に識別することも可能になる。
【００４１】
＜第２の実施の形態＞
第２の実施の形態は第１の実施の形態に較べ、ケーブルクランプ１０が把持する商用電源線１６がＶＶＦケーブル（６００Ｖビニル絶縁ビニルシースケーブル平型電線）であることが異なっている。ＶＶＦケーブルは内部に独立したフェイズ線１５とニュートラル線１７を保持しており、図３に示すようにフェイズ線１５は導電体１４にケーブルシース１３が被覆されており、もう１本のニュートラル線１７は内部導体１４’にケーブルシース１３’が被覆されている。そしてこれらのフェイズ線１５とニュートラル線１７は一纏めにされて共にケーブルシース１６により被覆されている。
【００４２】
図３および図４には第２の実施の形態のフィルタ接続器１の外形図を示しており、図３は商用電源線にフィルタ接続器１を接続した状態を上面から見た外形図を示している。一方、図４は図３のｂ−ｂ’断面よりフィルタ接続器１を見た外形図を示している。
【００４３】
このような図３および図４に示すフィルタ接続器１は、商用電源線１６を把持するケーブルクランプ１０と、フィルタ１１と、フィルタ１１の２つの端子にそれぞれ接続された導通針１２、１２’と、ケーブルクランプ１０を商用電源線に圧接させるためのネジ５によって構成されている。
【００４４】
本第２の実施の形態においてはケーブルクランプ１０が備えるネジ５を締め込むことにより、ケーブルクランプ１０の略楕円の開口部の周上に設けられた欠損区間の間隔が狭まって該開口部が縮径し、内面（接触面）と商用電源線１６の外被とが強固に圧接されて固定される。
【００４５】
そしてケーブルクランプ１０が商用電源線１６の外被に圧接することに伴って、２本の導通針１２、１２’は商用電源線１６の外被に刺入しつつケーブルシース１３、１３’へも刺入し、内部導体１４と内部導体１４’にそれぞれ接触する。導通針１２、１２’を介してフィルタ１１の２本の端子がそれぞれ内部導体１４、１４’に接触して導通することにより、フェイズ線１５とニュートラル線１７にフィルタ１１を接続している。
【００４６】
このような上述の第２の実施の形態によれば、商用電源線がフェーズ線とニュートラル線を共に纏めた構成であってもケーブルクランプによる把持を容易かつ強固に行うことができる。
【００４７】
次の図５には上述の第１および第２の実施の形態において形成されたフィルタ接続器１と商用電源線の組み合わせによる等価回路図を示している。図５中の破線で示す範囲はフィルタ回路２３を示し、Ｅ２０は商用電源の送電元や商用電源線に重畳される電力線搬送通信用信号発生器を示している。フィルタ２３内に示すＣ２２はフィルタに用いるコンデンサを示している。ＺＬ２１は商用電源線に対する負荷のインピーダンスであり、図中のＩはフィルタ回路２３に入力される電流を示し、Ｉ’はＺＬ２１に流れる電流を示している。
【００４８】
次に図６に示す電流比（ｄＢ）対周波数（Frequency:Hz）の特性図は、図５に示した等価回路においてＣ２２を１μＦとしＺＬ２１を１００Ωとした場合について電流比（Ｉ／Ｉ’）を計算した結果を表している。
【００４９】
この図６に示す特性図において周波数１〜３０ＭＨｚにおけるＺＬ２１に流れるＩ’はＣ２２に入力された電流Ｉに対して５０ｄＢ以上で減衰している。電力線搬送通信では、その通信の漏洩を防止するために周波数１〜３０ＭＨｚにおいて４０ｄＢ以上の接続損失特性を求めている。このことから、第１および第２の実施の形態において説明したフィルタ接続器１のフィルタ６、１１に容量が１μＦのコンデンサを用いることで、電力線搬送通信用の信号漏洩防止のためのフィルタ回路を容易に構成できる。
【図面の簡単な説明】
【００５０】
【図１】第１の実施の形態のフィルタ接続器を上面から見た外形図を示す。
【図２】第１の実施の形態のフィルタ接続器を図１中のａ−ａ’断面から見た外形図を示す。
【図３】第２の実施の形態のフィルタ接続器を上面から見た外形図を示す。
【図４】第２の実施の形態のフィルタ接続器を図３中のｂ−ｂ’断面から見た外形図を示す。
【図５】第１と第２の実施の形態のフィルタ接続器と商用電源線により形成されるフィルタ回路の等価回路図を示す。
【図６】第１と第２の実施の形態のフィルタ接続器と商用電源線により形成されるフィルタ回路の特性図を示す。
【符号の説明】
【００５１】
１  フィルタ接続器
２、２’  ケーブルクランプ
５、５’  ネジ
６、１１  フィルタ
７、７’、１２、１２’  導通針
【図１】
2006303614.tif 000003
【図２】
2006303614.tif 000004
【図３】
2006303614.tif 000005
【図４】
2006303614.tif 000006
【図５】
2006303614.tif 000007
【図６】
2006303614.tif 000008